(57)【要約】      （修正有）【課題】複数の発光ダイオードの投光を断面長方形とする光反射ユニット、及び該光反射ユニットを備えた発光ダイオードランプを提供する。【解決手段】長方板体形であって、中央近くに一連のＬＥＤモジュール露出孔１１が長手方向に沿って並ぶように開けられ、一連のＬＥＤモジュール露出孔１１の一側がＬＥＤモジュール取付け側となり、他側が投光側となるように設けられていて、ＬＥＤモジュール取付け側に投光側へと複数のＬＥＤモジュール６３がそれぞれ一連のＬＥＤモジュール露出孔１１から露出して投光側の前方に投光するように取り付けられる底板１０と、底板１０の２つの長辺から前方の外側へと互いに展開していて、それらの互いに向き合っている面を反射面として一連のＬＥＤモジュール露出孔から露出する複数のＬＥＤモジュールの投光を前方へ反射する一対の反射板２０とを備えた発光ダイオードランプ用の光反射ユニット１００を実現する。【選択図】図１
0003152991.tif 000002
【実用新案登録請求の範囲】
【請求項１】
長方板体形であって、その中央近くに、一連のＬＥＤモジュール露出孔がその長手方向に沿って並ぶように開けられ、且つ、該一連のＬＥＤモジュール露出孔の一側がＬＥＤモジュール取付け側となり、他側が投光側となるように設けられていて、前記ＬＥＤモジュール取付け側に前記投光側へと複数のＬＥＤモジュールがそれぞれ前記一連のＬＥＤモジュール露出孔から露出して該投光側の前方に投光するように取り付けられる底板と、
前記底板の２つの長辺から前記前方の外側へと互いに展開していて、それらの互いに向き合っている面を反射面として前記一連のＬＥＤモジュール露出孔から露出する複数のＬＥＤモジュールの投光を前方へ反射する一対の反射板と
を備えていることを特徴とする発光ダイオードランプ用の光反射ユニット。
【請求項２】
前記一対の反射板は、いずれも前記底板と９０°以上の角度を挟む上、それらの延長面が互いに８０°ないし１２０°の範囲の角度となっていることを特徴とする請求項１に記載の発光ダイオードランプ用の光反射ユニット。
【請求項３】
前記底板及び反射板が、いずれも鏡面ステンレススチールからなることを特徴とする請求項１に記載の発光ダイオードランプ用の光反射ユニット。
【請求項４】
前記底板及び反射板が、いずれもプラスチック材からなり、且つ、それらの投光側にある面には、金属材が鏡面メッキ加工により積層されていることを特徴とする請求項１に記載の発光ダイオードランプ用の光反射ユニット。
【請求項５】
請求項１ないし請求項４のいずれか１項に記載の光反射ユニットを備えた発光ダイオードランプ。
【考案の詳細な説明】
【技術分野】
【０００１】
本考案は、光反射ユニット及びそれを備えた発光ダイオードランプに関する。
【背景技術】
【０００２】
発光ダイオード（以下、ＬＥＤと略す）は、投光が１２０°位の発散角度があるので、複数の発光ダイオードを集めてランプを構成する場合、通常、前方へ展開するように開口しているケースでそれらを後ろから遮蔽しながら、ケースの内面でそれらの光発散を前方へ反射し、投光の使用効率を上げる。
しかし、現在の発光ダイオードランプは、すべて円形になるように、即ち、その複数の発光ダイオードが断面円形の束になるように配置されている。
このような発光ダイオードランプは、当然、その光反射ユニットとしてのケースが円形断面のラッパ形になっているので、その投光も円形断面となり、頗る集中するが、発光ダイオードの単位投光範囲が小さく、使用効率があまり良くない。
一方、生活に必要な照明は、円形範囲に限らない。例えばデスク作業などには、通常、作業者自身を含まず、ただその手前の左から右へと渡るほぼ長方形の作業範囲内にのみ照明が必要であるため、この場合、円形の発光ダイオードランプを使用すると、左右に照明が不足し、その上、照明の必要がない作業者の体に投光することで、作業者の目に余計な刺激を与えてしまう欠点が生じることになる。
【考案の概要】
【考案が解決しようとする課題】
【０００３】
上記問題点に鑑みて、本考案は、発光ダイオードランプにおける複数の発光ダイオードの投光を断面長方形とする光反射ユニット、及び、該光反射ユニットを備えていてその投光が断面長方形となる発光ダイオードランプの提供を目的とする。
【課題を解決するための手段】
【０００４】
上記目的を達成するべく、本考案は、長方板体形であって、その中央近くに、一連のＬＥＤモジュール露出孔がその長手方向に沿って並ぶように開けられ、且つ、該一連のＬＥＤモジュール露出孔の一側がＬＥＤモジュール取付け側となり、他側が投光側となるように設けられていて、前記ＬＥＤモジュール取付け側に前記投光側へと複数のＬＥＤモジュールがそれぞれ前記一連のＬＥＤモジュール露出孔から露出して該投光側の前方に投光することができるように取り付けられる底板と、前記底板の２つの長辺から前記前方の外側へと互いに展開していて、それらの互いに向き合っている面を反射面として前記一連のＬＥＤモジュール露出孔から露出する複数のＬＥＤモジュールの投光を前方へ反射することができる一対の反射板とを備えていることを特徴とする発光ダイオードランプ用の光反射ユニット、及び、該光反射ユニットを備えた発光ダイオードランプを提供する。
【考案の効果】
【０００５】
上記構成による本考案の発光ダイオードランプ、特にその光反射ユニットの使用は、ＬＥＤモジュールを一列に取り付け、且つ、該一列に取り付けたＬＥＤモジュールの投光をその並び方向の両側からその光発散を遮蔽しながら前方に反射して断面長方形の投光を得ることができる。
【図面の簡単な説明】
【０００６】
【図１】本考案の光反射ユニットの第１実施形態の発光ダイオードランプの分解図である。
【図２】本考案の光反射ユニットの第１実施形態の光反射ユニットの断面図である。
【図３】本考案の光反射ユニットの第１実施形態の発光ダイオードランプの上面図である。
【図４】本考案の光反射ユニットの第１実施形態の発光ダイオードランプの断面図である。
【図５】本考案の光反射ユニットの第２実施形態の断面図である。
【図６】本考案の光反射ユニットの第３実施形態の光反射ユニットの断面図である。
【図７】図６におけるＶＩＩ−ＶＩＩ線に沿って切った断面図である。
【図８】本考案の光反射ユニットの第４実施形態の光反射ユニットの断面図である。
【図９】図８におけるＩＸ−ＩＸ線に沿って切った断面図である。
【図１０】第４実施形態の変形例を示す断面図である。
【図１１】本考案の光反射ユニットの第５実施形態の光反射ユニットの断面図である。
【図１２】図１１におけるＸＩＩ−ＸＩＩ線に沿って切った断面図である。
【考案を実施するための形態】
【０００７】
以下では図面を参照しながら、本考案の好ましい実施形態について詳しく説明する。
【実施例１】
【０００８】
図１〜図５は、本考案の光反射ユニットの第１実施形態、及びそれを備えた発光ダイオードランプの構成を示している。
図１に示すのは本考案の光反射ユニットの第１実施形態、及びそれを備えた発光ダイオードランプの分解図であり、図２に示すのはこの実施形態の光反射ユニットの断面図であり、図３に示すのはこの実施形態の発光ダイオードランプの上面図であり、図４に示すのは同発光ダイオードランプの断面図である。
【０００９】
図示のように、本考案の発光ダイオードランプは、発光本体６０を有している。発光本体６０は、所定のＸ方向に沿って延伸するように形成されている、ケースとしての機能も有しているヒートシンク６１に、プリント基板６２及びＬＥＤ駆動手段６４が取り付けられ、そしてプリント基板６２の中央近くには、ＬＥＤ駆動手段６４と電気的に接続している一連のＬＥＤモジュール６３，６３，６３，…が取り付けられている。ヒートシンク６１は、円筒状の壁部６１１を有していると共に、取り付けられている一連のＬＥＤモジュール６３，６３，６３から発せられる光が射出することができるように、該壁部６１１の一側面に開口６１２がＸ方向に沿って延在するように形成されている。
【００１０】
この第１実施形態の光反射ユニット１００は、開口６１２に取り付けられることができるように形成されている。即ち、この第１実施形態の光反射ユニット１００は、その長手方向が前記Ｘ方向と平行するように形成された長方板体形の底板１０と、前記底板１０の２つの長辺から前記前方の外側へと互いに展開していて、それらの互いに向き合っている面を反射面２１とされている一対の反射板２０，２０とを備えている。
底板１０の長手方向（Ｘ方向）の両端部には、該底板１０の短手方向に沿って延伸し、それぞれ前記一対の反射板２０，２０と連結している連結壁４０，４０が形成され、そして、前記一対の反射板２０，２０の先端縁には、それぞれ前記底板と平行に延伸する上、開口６１２に設置固定されることができる設置壁３０，３０が形成され、更に、底板１０の前記２つの連結壁４０，４０の隣りには、それぞれヒートシンク６１に固定するためのねじ孔１２，１２が開けられている。一対のねじ９０は、それぞれねじ穴１２，１２を貫通してヒートシンク６１にねじ込まれることによって、この光反射ユニット１００をヒートシンク６１に固定することができる。
【００１１】
底板１０は、長方板体形であって、その中央近くに、ＬＥＤモジュール露出孔１１，１１，１１，…が前記一連のＬＥＤモジュール６３，６３，６３，…が露出できるように対応し、前記Ｘ方向に沿って並ぶように開けられ、且つ、該一連のＬＥＤモジュール露出孔１１，１１，１１，…の一側、即ち図中の下側がＬＥＤモジュール取付け側となり、他側が投光側となるように設けられている。
一対の反射板２０，２０は、いずれも前記底板１０と９０°以上の角度を挟む上、それらの延長面が互い挟む角度θは、８０°〜１２０°の範囲内に設定することが好ましい。
また、この実施形態において、底板１０と反射板２０，２０と設置壁３０，３０とはいずれも鏡面ステンレススチールからなり、これによって、ＬＥＤモジュール６３，６３，６３から発せられる光は、底板１０と反射板２０，２０と設置壁３０，３０とによって、その並び方向の両側からその光発散を遮蔽しながら前方に反射し、断面長方形の投光を得ることができる。
【００１２】
続いて、本考案の発光ダイオードランプの発光本体６０以外の構成について詳しく説明する。光反射ユニット１００が取り付けられている発光本体６０は、透明材料からなる円筒形のカバー５０により包まれ、そのＸ方向上の前後両端には、それぞれ第１と第２のスリーブ手段７１，８１が取り付けられている。また、第１と第２のスリーブ手段７１，８１のそれぞれの先端部には、第１と第２のキャップ手段７２，８２がそれぞれ第１と第２のボルト手段７４，８４により取り付けられ、第１のスリーブ手段７１と第１のキャップ手段７２との間には第１の防水リング７３が介在し、第２のスリーブ手段９１と第２のキャップ手段８２との間には第２の防水リング８３が介在している。ケーブル手段６５の一端は、防水栓７５を介して第１のスリーブ手段７１に取り付けられると共に、ＬＥＤ駆動手段６４と電気的に接続し、その他端に電気プラグが取り付けられている。この構成により、本考案の発光ダイオードランプは水密効果を得ることが出来、水面下にも使用できる。
【実施例２】
【００１３】
図５は本考案の光反射ユニットの第２実施形態の断面図である。
図示のように、この実施形態では、光反射ユニットの反射板２０の内表面２１は平面ではなく、前記Ｘ方向と平行に延伸し、且つ、それらの延長面が底板１０の内表面と直交するようになっている複数の垂直面２１１と、前記Ｘ方向と平行に延伸し、且つ、底板１０の内表面とも平行するようになっている複数の水平面２１２と、が形成され、階段状になっている。
この実施形態においても、第１実施形態と同じように、ＬＥＤモジュール６３，６３，６３から発せられる光を両側から遮蔽しながら前方に反射し、断面長方形の投光を得ることができる。
【実施例３】
【００１４】
図６及び図７は、本考案の光反射ユニットの第３実施形態を示している。
図６はこの実施形態の光反射ユニットの断面図であり、図７は図６におけるＶＩＩ−ＶＩＩ線に沿って切った断面図で、その反射板の内表面を示している。
図示のように、この実施形態において、光反射ユニット１００が有する一対の反射板２０の反射面２１には、多数の突起部２１３が平均的に形成され、各突起部２１３の表面は、全て球面の一部となっている。
この実施形態においても、第１や第２の実施形態と同じように、ＬＥＤモジュール６３，６３，６３から発せられる光を両側から遮蔽しながら前方に反射し、断面長方形の投光を得ることができる。
【実施例４】
【００１５】
図８及び図９は、本考案の光反射ユニットの第４実施形態を示している。
図８はこの実施形態の光反射ユニットの断面図であり、図９は図８におけるＩＸ−ＩＸ線に沿って切った断面図で、その反射板の内表面を示している。
図示のように、この実施形態では実施形態３と同じように、反射板２０の反射面２１に多数の突起部２１４が平均的に形成されている一方、その多数の突起部は、全て上面が曲面になった４角ブロック状に形成され、反射面２１上に碁盤形に並んでいる。
この実施形態においても、第１〜第３の実施形態と同じように、ＬＥＤモジュール６３，６３，６３から発せられる光を両側から遮蔽しながら前方に反射し、断面長方形の投光を得ることができる。
また、図１０に示すのはこの実施形態の変形例であり、図１０における多数の突起部２１５は、全て上面が曲面になった六角ブロック状に形成され、反射面２１上にハニカムネットのように並んでいる。
【実施例５】
【００１６】
図１１及び図１２は、本考案の光反射ユニットの第５実施形態を示している。
図１１はこの実施形態の光反射ユニットの断面図であり、図１２は図１１におけるＸＩＩ−ＸＩＩ線に沿って切った断面図で、その反射板の内表面を示している。
図示のように、この実施形態において、底板１０と反射板２０，２０と設置壁３０，３０とは、いずれもプラスチック材からなり、且つ、それらの投光側にある面には、金属材２３が鏡面メッキ加工により積層されている。これによって、ＬＥＤモジュール６３，６３，６３から発せられる光は、第１〜第４の実施形態と同じように、底板１０と反射板２０，２０と設置壁３０，３０とによって、その並び方向の両側からその光発散を遮蔽しながら前方に反射し、断面長方形の投光を得ることができる、更に、金属材料の節約により、コストダウンの効果を得ることもできる。
【産業上の利用可能性】
【００１７】
上記のように、本考案の発光ダイオードランプの各実施形態、特にその光反射ユニットの使用は、ＬＥＤモジュールを一列に取り付け、且つ、該一列に取り付けたＬＥＤモジュールの投光をその並び方向の両側からその光発散を遮蔽しながら前方に反射して断面長方形の投光を得ることができ、且つ優れた防水性能を得ることができるので、事務処理や勉強など机の上の作業や、水面下の作業に適する発光ダイオードランプを提供することができる。
【符号の説明】
【００１８】
１０  底板
１１  ＬＥＤモジュール露出孔
１２  ねじ孔
２０  反射板
２１  反射面
２３  金属材
３０  設置壁
４０  連結壁
５０  カバー
６０  発光本体
６１  ヒートシンク
６２  プリント基板
６３  ＬＥＤモジュール
６４  ＬＥＤ駆動手段
６５  ケーブル手段
７１  第１のスリーブ手段
７２  第１のキャップ手段
７３  第１の防水リング
７４  第１のボルト手段
７５  防水栓
８１  第２のスリーブ手段
８２  第２のキャップ手段
８３  第２の防水リング
８４  第２のボルト手段
９０  ねじ
１００  光反射ユニット
２１１  垂直面
２１２  水平面
２１３  突起部
２１４  突起部
２１５  突起部
６１１  壁部
６１２  開口
【図１】
0003152991.tif 000003
【図２】
0003152991.tif 000004
【図３】
0003152991.tif 000005
【図４】
0003152991.tif 000006
【図５】
0003152991.tif 000007
【図６】
0003152991.tif 000008
【図７】
0003152991.tif 000009
【図８】
0003152991.tif 000010
【図９】
0003152991.tif 000011
【図１０】
0003152991.tif 000012
【図１１】
0003152991.tif 000013
【図１２】
0003152991.tif 000014